(57)【要約】      （修正有）【課題】携帯電話をより安定して固定することができ、携帯電話から発せられる音声が差込口から漏れることを防ぎつつ、ラッパ状開口部を通じて完全に外部に出力できる携帯電話用拡声器を提供する。【解決手段】携帯電話用拡声器は、片側が閉じ、管面にラッパ状開口部が設けられる伝声管１１と、伝声管に挿入嵌合し、外端側が閉じた調整管１２とを備え、伝声管と調整管の管面の対向したところには、対応した長いスロット状の差込口１１０、１２０が設けられ、調整管の伸縮や角度の回転による位置調整で、伝声管と調整管にある二差込口の間で形成された開口が、携帯電話が斜めに立てられる幅と厚みに対応し、携帯電話の底部から出た音楽の音がより完全に伝声管を通って、ラッパ状開口部から拡声され、音量が大きくなり、潤いや厚みのよい音質が再生される。【選択図】図４
0003223574.tif 000002
【実用新案登録請求の範囲】
【請求項１】
端部にラッパ状開口部が取り付けられており、管面に差込口が設けられる伝声管と、
前記伝声管内で前後に摺動可能及び回転可能に挿入でき、管面には前記伝声管の差込口に対応した差込口が設けられる調整管と、を備えることを特徴とする携帯電話用拡声器。
【請求項２】
前記調整管の外側端には、貫通穴が設けられることを特徴とする請求項１に記載の携帯電話用拡声器。
【請求項３】
前記伝声管の背面には、前記伝声管とは反対側に延びる支持棒が斜めに設けられることを特徴とする請求項１に記載の携帯電話用拡声器。
【考案の詳細な説明】
【技術分野】
【０００１】
本考案は、伝声管に調整管が挿入嵌合し、嵌め合された伝声管と調整管の対向した管面には、携帯電話を差し込むために対応した差込口が設けられ、調整管の伸縮や角度の回転による位置調整で、二差込口を嵌め合わせてなる開口が、そこに差し込む携帯電話の厚さに対応するように設けられ、開口から音声が漏れるという問題点を改善できる音声伝達用のラッパ状開口部付き伝声管に関する。
【背景技術】
【０００２】
一般の携帯電話及びその他のスマートフォンには、音声や音楽を出力するためのスピーカーが設けられているが、スペース上の制約からマイクロスピーカーが使用されている。新しい技術が次々と生まれているので、携帯電話本体には良質な音源が搭載されているが、携帯電話のスピーカーから再生された音楽は、従来のスピーカーの音質には及ばないし、音量も制限される。
【０００３】
市場では、異なる伝送方法（例えば、オーディオケーブル3.5mm、USB又はブルートゥース（登録商標））で、携帯電話に接続されるスピーカー又はオーディオボックスが次々と誕生し、携帯電話からの音楽を外付けスピーカーによって音質のよい音楽にして再生することができる。しかしながら、そのように拡声して再生された音楽の音質は、携帯電話本来の有する品質には及ばない。なぜなら、外付けスピーカー自身の拡声器によって処理された後に再生されるので、携帯電話本来の有する音質のよさが損なわれるからである。
【０００４】
デザイン性の優れた外付けスピーカーは通常、価格が高いものであり、上述したような外付けスピーカーを充電した後または電池を入れてから使われるものであるため、持続的に使用することができないので、電源不要の携帯電話用オーディオボックスが開発された。開放型オーディオボックスが設けられ、前記オーディオボックスのてっぺんには、携帯電話を差し込むための差込口があり、差込口から携帯電話の底部がオーディオボックス内に差し込まれたとき、携帯電話の底部にあるスピーカーから流れた音楽は、オーディオボックス内での振動により、音量が大きくなり、よりよい音質が出力される。
【０００５】
メーカー又は型番により、携帯電話の幅や厚みが異なるので、上述したオーディオボックスに携帯電話を差し込むための差込口は、各種の携帯電話の長さと幅に対応するため、比較的に大きめのサイズに設けられる。そして、オーディオボックスにある差込口に携帯電話が差し込まれると、その携帯電話の前後左右にかなり大きな隙間が生じるから、携帯電話から出た音声が差込口からそのまま漏れしまって、音源がオーディオボックス内で完全に反射、振動できず、オーディオボックスから出た音質が期待される性能を発揮できない。
【考案の概要】
【考案が解決しようとする課題】
【０００６】
前述したように、従来のオーディオボックスにより拡声された携帯電話の音声の一部分が携帯電話の挿入する口から漏れることにより、音声がオーディオボックス内で完全に反射及び振動できないという問題を改善するため、本考案は、開いた側には、外端側の閉じた調整管が嵌合されるように設けられる伝声管を備え、伝声管と調整管の管面の対向したところに対応した差込口が設けられ、調整管が伸縮したり回転したりすることにより、二差込口の間で形成された開口が、そこに挿入する携帯電話の幅と厚みに対応するように設けられ、開口と携帯電話との間を密着することができる。これにより音声漏れを防ぎ、携帯電話の音樂を完全に反射及び振動させてラッパ状開口部からの大音量を、高音質で再生されるように設けられる、拡声、振動を行なうラッパ状開口部を有する伝声管を提供する。
【課題を解決するための手段】
【０００７】
本考案の課題を解決するための技術手段として、片側が閉じ、ラッパ状開口部が設けられ、管面に差込口が設けられる伝声管を備えてなり、外側端が閉じ、前記伝声管内で伸縮や回転が可能で、伝声管内に密着に挿入嵌合する調整管を備えてなり、調整管の管面には、伝声管の差込口に対応した差込口が設けられることを特徴とする。言い換えると、本考案の携帯電話用拡声器は、端部にラッパ状開口部が取り付けられており、管面に差込口が設けられる伝声管と、前記伝声管内で前後に摺動可能及び回転可能に挿入でき、管面には前記伝声管の差込口に対応した差込口が設けられる調整管と、を備えることを特徴とする。
【０００８】
本考案では、前記調整管の外側端には、貫通穴が設けられることを特徴とする。
【０００９】
本考案では、前記伝声管の背面には、後ろ向きの支持棒が斜めに設けられることを特徴とする。
【考案の効果】
【００１０】
本考案の携帯電話用拡声器によれば、携帯電話がより安定して固定することができ、携帯電話から発せられる音声が差込口から漏れることを防ぎつつ、ラッパ状開口部を通じて完全に外部に出力できる。
【００１１】
上述した本考案の拡声器の伝声管と調整管の管面には、対応した二差込口が設けられ、調整管の伸縮や角度の回転による位置調整で、二差込口の間で形成された開口が、そこに挿入する携帯電話の幅と厚みに対応するように設けられ、携帯電話がより安定して差し込まれ、携帯電話の音樂が差込口から漏れることを防ぎ、音樂がラッパ状開口部でより完全に反射振動され、出力される。
【図面の簡単な説明】
【００１２】
【図１】本考案の携帯電話用拡声器の立体図である。
【図２】本考案の携帯電話用拡声器の正面から見た立体分解図である。
【図３】本考案の携帯電話用拡声器の背面から見た立体分解図である。
【図４】本考案の携帯電話用拡声器における携帯電話の差込口が調整された模式図である。
【図５】本考案の携帯電話用拡声器に携帯電話が差し込まれたときの模式図である。
【図６】本考案の携帯電話用拡声器の調整ユニットに関するもう一つの実施形態を示す模式図である。
【図７】本考案の携帯電話用拡声器が外付けスピーカーの拡声用に供される使用状態図である。
【考案を実施するための形態】
【００１３】
本考案の目的、機能、特徴及び構造をより詳細に理解されるべく、図面と併せて好ましい実施形態を説明する。
【００１４】
図１〜図３に示すように、本考案の拡声器１は、挿入嵌合する伝声管１１と調整管１２を備えてなり、前記伝声管１１の挿入嵌合しない側は、閉じた状態となり、伝声管１１には、音声の反射、振動を起こすために通じるラッパ状開口部１３が設けられ、前記調整管１２の外側端が伝声管１１より伸ばされ、閉じた状態となる。
【００１５】
伝声管１１と調整管１２の挿入嵌合する管嵌合面の対向したところには、ユニットを差し込むための二差込口１１０，１２０が設けられ、調整管１２は伝声管１１内で伸縮や回転が可能で、二差込口１１０，１２０の間を嵌め合わせたときの開口の大きさを調整することができる。
【００１６】
伝声管１１の背面には、後ろ向きの支持棒１４が斜めに設けられ、前記支持棒１４は、伝声管１１が後ろに倒れないようにテーブルに突き当て、前記ラッパ状開口部１３の下側の外縁は、伝声管１１が前に倒れないようにテーブルに突き当てるように設けられる。
【００１７】
図４と図５に示すように、調整管１２を外へ伸ばし、適当な角度に回し、伝声管１１の差込口１１０と調整管１２の差込口１２０の間を嵌め合わせてなる開口の大きさが、そこに差し込む携帯電話２の幅と厚さに対応し、携帯電話２を、差込む開口と調整管１２内の底部に突き当てるように斜めに立て、より安定して、拡声器１内に差し込められるように設けられる。
【００１８】
伝声管１１と伸縮管１２の間にある二差込口１１０，１２０を嵌め合わせてなる開口には、携帯電話２がそこに密着に差し込まれたあと、携帯電話２の底部から出た音楽を、前記開口から漏らさず、音声がより完全に伝声管１１を通って、ラッパ状開口部１３側の反射、振動によって再生され、携帯電話２の音楽の拡声效果が向上し、潤いや厚みのよい音質が再生される。
【００１９】
図６と図７に示すように、前記調整管１２の外側端には、貫通穴１２１が設けられ、前記貫通穴１２１は、他のユニットで閉められてもよく(未図示)、調整管１２を回して、その上にある差込口１２０を伝声管１１の差込口１１０からずらし、重ねないようにし、閉じた管体に設けられるが、外付けミニスピーカー３から音の出るところを、調整管１２の貫通穴１２１に緊密に突き当てるようにし、前記スピーカー３から出た音声が、より完全に伝声管１１を通って、ラッパ状開口部１３側の反射、振動によって再生される。
【００２０】
本考案に関する国内外の技術情報文献を確認したところ、本考案がなされる前に同一又は類似の構造が存在しないという事実が判明した。このため、本考案及び本考案の類似製品の進歩性及び実用性が認められる。したがって、本考案は、「創造性」、「産業上の利用可能性」および「進歩性」という実用新案法上の登録要件を満たす。
【００２１】
上記の説明は、本発明の好ましい実施形態を説明したものに過ぎず、本明細書及び実用新案登録請求の範囲に適用される他の均等な構造的変更についても本考案の範囲に含まれるものとする。
【符号の説明】
【００２２】
１      拡声器
１１    伝声管
１１０  差込口
１２    調整管
１２０  差込口
１２１  貫通穴
１３    ラッパ状開口部
１４    支持棒
２      携帯電話
３      スピーカー
【図１】
0003223574.tif 000003
【図２】
0003223574.tif 000004
【図３】
0003223574.tif 000005
【図４】
0003223574.tif 000006
【図５】
0003223574.tif 000007
【図６】
0003223574.tif 000008
【図７】
0003223574.tif 000009